(57)【要約】【課題】ホスト機器の操作情報を新たに記録して使用できるリモコン装置を提供する。【解決手段】複数のホスト機器を遠隔操作するための情報を記録可能な半導体記録媒体６を保持し、この半導体記録媒体６に予め納められた情報を、タッチパネル方式の表示部２を通じての外部操作に応じて選択的に読み出し、信号として送信するリモコン装置１において、半導体記録媒体６に対して情報を読み出し書き込む機能を持った情報読み取り書き込み部７を設ける。これにより、情報読み取り書き込み部７によって新たな情報を半導体記録媒体６に記録し、記録した情報に基いてホスト機器を遠隔操作できる。ホスト機器に使用者独自の設定を付加する際に、その設定情報をリモコン装置１内の半導体記録媒体６に記録しておけば、使用者独自の設定情報を読み出してホスト機器を遠隔操作できる。【選択図】　図２
2004128757.tif 000002
【特許請求の範囲】
【請求項１】
複数のホスト機器を遠隔操作するための情報を記録可能な半導体記録媒体を保持し、前記半導体記録媒体に予め納められた情報を外部からの操作に応じて選択的に読み出し、信号として送信するリモコン装置であって、
前記半導体記録媒体に対して新たな情報を書き込む情報書き込み手段を有したリモコン装置。
【請求項２】
半導体記録媒体を脱着自在に保持する保持部と、
前記保持部に装着された半導体記録媒体に対して情報の読み出し書き込みを行う情報読み出し書き込み部と、
外部からの操作を受け付けて前記情報読み出し書き込み部に伝達する操作部と、
前記半導体記録媒体に納められた情報や前記操作部で受け付けた操作の情報を表示する表示部と、
前記情報読み出し書き込み部との間で情報を伝達可能であり、ホスト機器を遠隔操作するための情報を送受信する送受信部と、
を有した請求項１記載のリモコン装置。
【請求項３】
固有の認証番号や認証情報を納めた半導体記録媒体の認証部との間で相互認証を行う認証部を有した請求項２記載のリモコン装置。
【請求項４】
半導体記録媒体を装着可能で、かつ、インターネット等の情報網へアクセス可能なアクセス端末を別体として有した請求項２記載のリモコン装置。
【請求項５】
インターネット等の情報網へアクセス可能なアクセス端末との間で情報を送受信可能なアクセス部を有した請求項２記載のリモコン装置。
【請求項６】
インターネット等の情報網へアクセス可能なアクセス部を有した請求項２記載のリモコン装置。
【請求項７】
インターネット等の情報網を通じてアクセスしたアクセス先と認証部を通じて相互認証可能に構成された請求項４〜請求項６のいずれかに記載のリモコン装置。
【請求項８】
他のリモコン装置と互いの認証部を通じて相互認証可能に構成された請求項３記載のリモコン装置。
【発明の詳細な説明】
【０００１】
【発明の属する技術分野】
本発明は、複数のホスト機器を遠隔操作できるリモコン装置に関するものである。
【０００２】
【従来の技術】
半導体記録媒体を用いたリモコン装置として、たとえば特開平０２−１６８７９４号公報に挙げられた学習リモコン装置がある。このリモコン装置は、一端部に赤外線発光部が、また操作面に電源スイッチや液晶表示・操作部としての液晶表示タッチパネルなどが、その裏面にカード収納蓋や電池収納用蓋などが設けられていて、赤外線信号データが書き込まれたメモリーカードを内部に装着して、液晶表示タッチパネルで表示内容を更新しながら必要な赤外線信号データを読み出し、赤外線信号として赤外線発光部から送信することで、複数の機器を選択的に遠隔操作するようになっている。
【０００３】
【特許文献１】
特開平０２−１６８７９４号公報、第１図
【０００４】
【発明が解決しようとする課題】
しかしながら、上記した従来のリモコン装置では、赤外線信号データが記録されたメモリーカードを必要に応じて追加収容、交換しなくてはならない。たとえば新たなホスト機器を操作可能にしようとする場合、そのホスト機器の操作情報が納められたメモリーカードを新たに購入しなくてはならない。
【０００５】
また、使用者がホスト機器の設定メニューなどを利用して独自の設定などを行った場合、その情報をリモコン装置に反映させる機能を有していない。使用者が独自に創作し得る設定としては例えば、ホームシアターシステムにおける最適音場設定、電子レンジを使用して創作した料理を作る上でのレシピ情報、出力パワー、調理時間等の電子レンジ制御設定情報などがある。
【０００６】
本発明は上記問題を解決するもので、ホスト機器の操作情報を新たに記録して使用できるリモコン装置を提供することを目的とするものである。
【０００７】
【課題を解決するための手段】
上記課題を解決するために、上記した請求項１記載の発明のリモコン装置は、複数のホスト機器を遠隔操作するための情報を記録可能な半導体記録媒体を保持し、前記半導体記録媒体に予め納められた情報を外部からの操作に応じて選択的に読み出し、信号として送信するリモコン装置において、前記半導体記録媒体に対して新たな情報を書き込む情報書き込み手段を設けたことを特徴とする。
【０００８】
このリモコン装置によれば、半導体記録媒体に予め納められた情報を読み出してホスト機器を操作できるだけでなく、リモコン装置自体に備わる情報書き込み手段で新たな情報を半導体記録媒体に記録し、記録した情報に基いてホスト機器を遠隔操作できる。よって、ホスト機器に使用者独自の設定を付加する際に、その設定情報をリモコン装置内の半導体記録媒体に記録しておくことで、前記使用者独自の設定情報を読み出してホスト機器を遠隔操作することができる。
【０００９】
請求項２記載のリモコン装置は、固有の認証番号や認証情報を納めた認証部とホスト機器を遠隔操作するための情報を記録可能な情報記録部とを有した半導体記録媒体を脱着自在に保持する保持部と、前記保持部に装着された半導体記録媒体に対して情報の読み出し書き込みを行う情報読み出し書き込み部と、外部からの操作を受け付けて前記情報読み出し書き込み部に伝達する操作部と、前記半導体記録媒体に納められた情報や前記操作部で受け付けた操作の情報を表示する表示部と、前記情報読み出し書き込み部との間で情報を伝達可能であり、ホスト機器を遠隔操作するための情報を送受信する送受信部とを有したことを特徴とする。
【００１０】
このリモコン装置によれば、使用者は、前記保持部に装着された半導体記録媒体に対して、表示部で確認しながら操作部を通じて情報読み出し書き込み部を動作させて情報の読み出し書き込みを行うことができる。送受信部で受信した情報を情報読み出し書き込み部に伝達して半導体記録媒体に納めることもできる。情報読み出し書き込み部で読み出した情報は送受信部からホスト機器に送信することになる。
【００１１】
請求項３記載のリモコン装置は、固有の認証番号や認証情報を納めた半導体記録媒体の認証部との間で相互認証を行う認証部を有したことを特徴とするもので、リモコン装置に半導体記録媒体を装着した時に、リモコン装置と半導体記録媒体との間で相互認証が行なわれ、認証ＯＫの場合のみ、半導体記録媒体の情報を利用してホスト機器の操作が可能になる。つまり、特定のリモコン装置で、それに認証される複数の半導体記録媒体の情報を利用したり、逆に、１枚の半導体記録媒体の情報を、それに認証される特定の複数のリモコン装置で利用することになり、情報が納められた半導体記録媒体を紛失した場合に、特定されないリモコン装置で利用される不都合がなくなる。
【００１２】
請求項４記載のリモコン装置は、半導体記録媒体を装着可能で、かつ、インターネット等の情報網へアクセス可能なアクセス端末を別体として有したことを特徴とするもので、ホスト機器を操作するための情報を情報網からアクセス端末に取得し、アクセス端末に装着した半導体記録媒体に納めることができ、この半導体記録媒体をリモコン装置の本体に装着することで、取得した情報に基く遠隔操作が可能になる。
【００１３】
請求項５記載のリモコン装置は、インターネット等の情報網へアクセス可能なアクセス端末との間で情報を送受信可能なアクセス部を有したことを特徴とするもので、ホスト機器を操作するための情報を情報網からアクセス端末に取得し、リモコン装置のアクセス部に送信して、半導体記録媒体に納めることができる。つまり、アクセス端末，リモコン装置への半導体記録媒体の挿抜を繰り返すことなく、リモコン装置内の半導体記録媒体に直接に情報を納めることができる。
【００１４】
請求項６記載のリモコン装置は、インターネット等の情報網へアクセス可能なアクセス部を有したことを特徴とするもので、ホスト機器を操作するための情報を情報網からリモコン装置自体のアクセス部で取得して、半導体記録媒体に納めることができる。つまり、別途のアクセス端末がなくても、また場所を選ばずに、リモコン装置自体で情報を取得して半導体記録媒体に直接に納めることができ、利便性が向上する。
【００１５】
上記した請求項４〜請求項６記載の各リモコン装置とも、インターネット等の情報網から情報を取得して半導体記録媒体に納められるので、ホスト機器の購入時に提供される基本的な操作情報のみならず、機能アップ情報や不具合修正情報などの最新の情報をタイムリーに取得して使用することが可能であり、これらの情報が納められた半導体記録媒体をその都度購入する必要がない。
【００１６】
請求項７記載のリモコン装置は、インターネット等の情報網を通じてアクセスしたアクセス先と認証部を通じて相互認証可能に構成されたことを特徴とするもので、情報網を通じて情報提供者にアクセスした時に、半導体記録媒体と情報提供者とで相互認証できなければ情報を取得することができず、使用者が適正な情報を効率よく取得できるとともに、情報提供者は特定の使用者に限定して情報を提供することができ、半導体記録媒体に納めた情報を他者に読み取られる恐れもない。
【００１７】
請求項８記載のリモコン装置は、他のリモコン装置と互いの認証部を通じて相互認証可能に構成されたことを特徴とするもので、互いに認証される複数のリモコン装置間で情報を共有可能である。
【００１８】
【発明の実施の形態】
以下、本発明の実施の形態を図面に基づいて説明する。
（実施の形態１）
図１は本発明の実施の形態１におけるリモコン装置の外観を示す。このリモコン装置１は幅５０ｍｍ、高さ１００ｍｍ、厚み１０ｍｍの直方体状をなし、その一側面に、外部からの操作を受け付けて表示内容を更新する幅４０ｍｍ、高さ７０ｍｍの液晶タッチパネル方式の操作表示部２（以下、表示部２という）と、表示部２上で行えないような基本的な操作を行うためのスイッチ、たとえばシステム電源をオンオフするスイッチや表示部２の表示明るさを切り替えるスイッチが配置された操作部３とが設けられ、これら表示部２，操作部３に背反する他側面に電池収納用蓋（図示せず）などが設けられている。
【００１９】
またリモコン装置１の一端部に、ホスト機器などとの情報伝達を行なうための赤外線信号の送受信を行なう送受信部４が設けられ、この送受信部４と背反する他端部に設けられたスロット５に半導体記録媒体６を装着可能である。
【００２０】
半導体記録媒体６は、メモリーカード、ＩＣカードなどのカード状半導体記録媒体であって、図示した例では概ね矩形平板状で、一角を斜めに切り欠いた形状であり、最大長さ４５ｍｍ、最大幅３７ｍｍ、厚み０．８ｍｍ、容量６４Ｍバイトを有している。
【００２１】
詳細には、図２に示すように、半導体記録媒体６は、リモコン装置１との相互認証を行うための認証情報、たとえば当該半導体記録媒体６に固有の認証番号や、半導体記録媒体６にアクセス可能なリモコン装置１の情報などの認証情報が納められた認証部６ａと、主にホスト機器の操作情報が納められた情報記録部６ｂとを有している。
【００２２】
リモコン装置１は、スロット５に装着された半導体記録媒体６に対して情報を読み取り書き込むための情報読み取り書き込み部７と、この情報読み取り書き込み部７で得られた半導体記録媒体６の認証情報を用いて半導体記録媒体６との間で相互認証を行なうための認証部８と、これら情報読み取り書き込み部７，認証部８、および上記した表示部２，操作部３，送受信部５に対応するマイコンなどの制御部９とを有している。
【００２３】
リモコン装置１と半導体記録媒体６との情報伝達経路について説明する。
リモコン装置１は、操作部３により電源がＯＮされた状態で使用される。電源がＯＮされるに伴って、スロット５に装着された半導体記録媒体６の内部情報が情報読み取り書き込み部７で読み取られ、読み取られた認証情報を用いて認証部８で半導体記録媒体６とリモコン装置１との間で相互認証が行われる。
【００２４】
そして認証ＯＫであった場合に、制御部９の指示によって、半導体記録媒体６の情報記録部６ｂに納められているホスト機器の操作情報や表示部２への表示方法情報などが情報読み取り書き込み部７で読み取られ、表示部２に表示される。使用者が表示部２にタッチして所望のホスト機器の操作方法を選択すると、選択された操作方法の情報が赤外線信号として送受信部４から発信され、所望のホスト機器が遠隔操作される。
【００２５】
使用者がホスト機器を独自の設定で遠隔操作したい場合には、ホスト機器の設定情報をリモコン装置１内の半導体記録媒体６に記録することができる。
たとえば、ホスト機器であるホームシアターシステムに対して、各スピーカの音量、イコライジング設定といった使用者独自の最適音場設定をホスト機器本体で設定した場合、その最適音場設定に対応する設定情報を表示部２，情報読み取り書き込み部７によって半導体記録媒体６に記録することができる。
【００２６】
また、ホスト機器である電子レンジに対して、使用者が独自で考案したレシピ情報や電子レンジ出力パワー、調理時間などの調理設定をホスト機器本体で設定した場合、その調理設定に対応する設定情報を表示部２，情報読み取り書き込み部７によって半導体記録媒体６に記録することができる。
【００２７】
ホスト機器またはそれ専用のリモコン装置が赤外線信号の送信手段を有するものであれば、使用者独自の設定情報を前記送信手段によってリモコン装置１の送受信部４に送信することで、情報読み取り書き込み部７に伝達して半導体記録媒体６に記録することも可能である。
【００２８】
設定情報の記録後には、ホスト機器本体へ近づいて操作せずとも、リモコン装置１で使用者独自の設定を選択して遠隔操作できる。つまり、リモコン装置１でホームシアターシステムの「最適音場設定」を選択して遠隔操作したり、電子レンジの「レシピＡの調理設定」を選択して遠隔操作することができる。
【００２９】
なお、使用者独自の設定情報を記録する際には、リモコン装置１と半導体記録媒体６とに相互認証機能を備えているため、リモコン装置１に対応する半導体記録媒体６を所有している使用者のみ、設定、利用が可能である。
【００３０】
使用する半導体記録媒体６が複数枚であっても同様の効果が得られることは言うまでもない。つまり、リモコン装置１に複数のスロット５を設けて複数の半導体記録媒体６を装着できるようにする場合、あるいは、リモコン装置１に設けた１または複数のスロット５のそれぞれに対して半導体記録媒体６を交換できるようにする場合に、上記と同様にして認証、読み出し書き込みすることができる。
【００３１】
ホスト機器としてホームシアターシステムと電子レンジを例示したが、他の機器をホスト機器とした場合も、上記と同様にして使用者独自の設定を半導体記録媒体６に記録できる。
（実施の形態２）
図３に示すリモコン装置１は、図１および図２に示したリモコン装置１と同様の構成を有し、半導体記録媒体６に納めるホスト機器の操作方法などの情報を取得する手段として、インターネットなどの情報網にアクセス可能な情報網アクセス端末１０を別体に有している。
【００３２】
情報網アクセス端末１０は、ＣＰＵを主体とする本体１１と、本体１１を操作するためのキーボード１２とを備え、本体１１に、半導体記録媒体を装着可能なスロット１３と、情報網アクセス時に得られた情報や半導体記録媒体６に納められた情報などを表示するための表示部１４と、システム電源をオンオフするスイッチや表示部１４の明るさを切り替えるスイッチが配置された操作部１５とを備えている。
【００３３】
この情報網アクセス端末１０に、図４に示すように、情報網１６からホスト機器の操作情報などの情報を取得して、スロット１３に装着した半導体記録媒体６の情報記録部６ｂに蓄積し、情報が記録された半導体記録媒体６を取り出し、リモコン装置１に装着して使用するのである。
【００３４】
このような情報網アクセス端末１０を利用することにより、ホスト機器の操作情報が予め納められた半導体記録媒体６を購入せずとも、使用者が随時にインターネットなどの情報網１６から入手して半導体記録媒体６に納め、使用することが可能である。したがって、ホスト機器購入時に取得できる基本的な操作情報のみならず、ホスト機器の機能アップ情報や不具合修正情報などの最新の情報をタイムリーに取得することができる。
【００３５】
使用可能な情報網アクセス端末１０は１台でなく、複数台であっても何ら問題はない。つまり、情報網アクセス端末１０は、半導体記録媒体６を装着して情報を読み取り書き込み可能であれば特定の１台でなくともよい。また、上記構成のものに限定されず、汎用のパーソナルコンピュータなどを使用することも可能である。
【００３６】
また、ホスト機器の操作方法などの情報を提供すべく設けられた情報提供者（通常はホスト機器のメーカーの情報機器）に、半導体記録媒体６に納められた固有の認証番号や認証情報を登録しておくことができる。
【００３７】
半導体記録媒体６の認証部の情報格納領域は、情報提供者ごとに区分して、各情報提供者が認証情報によって各自の領域の情報にアクセスできる一方、他者の領域の情報へはアクセスできないよう構成される。
【００３８】
これにより、使用者が情報網アクセス端末１０，情報網１６を通して情報提供者にアクセスした時に、アクセス端末１０に装着された半導体記録媒体６と情報提供者との間で、認証部８を介して、認証部６ａの認証番号や認証情報を用いた相互認証が行なわれ、半導体記録媒体６が情報提供者に登録されたものである場合に互いにアクセス可能と判定され、使用者が情報網アクセス端末１０を通して要求する情報を、あるいは情報提供者によって未取得であると判断された情報を、ダウンロードなどの方法によって取得することが可能である。
【００３９】
つまり、半導体記録媒体６と情報提供者との相互認証でアクセス可能と判定されなければ互いの情報にアクセスできず、使用者の立場から言うと、誤って不要な情報を取得することなく適正な情報を効率よく取得することができる。情報提供者の立場から言うと、特定の使用者に限定して情報を提供することができ、半導体記録媒体６に納められた各自のホスト機器の情報を他者によって読み取られる恐れもないため、ホスト機器の不具合対策情報など、不特定多数に知らせたくない情報も安心して提供できる。
【００４０】
なお、使用される半導体記録媒体６が複数枚であっても、同様の効果、もしくはそれ以上の効果が得られる。つまり情報提供者に登録される半導体記録媒体６の枚数が１台のホスト機器について１枚であっても２枚以上であっても、半導体記録媒体６と情報提供者とで相互認証したうえで情報にアクセス可能となるので、安心して情報の取得・提供を行なうことができる。
（実施の形態３）
図５に示すリモコン装置１は、図１および図２に示したリモコン装置１と同様の構成を有し、リモコン装置１の送受信部４と相互に赤外線信号を送受可能な信号送受信部１７を有した情報網アクセス端末１０を使用する。
【００４１】
これにより、情報網アクセス端末１０で取得した情報を信号送受信部１７からリモコン装置１の送受信部４へ送り、情報読み取り書き込み部７に伝達して、半導体記録媒体６に納めることができる。よって、情報網アクセス端末１０やリモコン装置１に対して半導体記録媒体６の挿抜を繰り返すことは不要である。
【００４２】
リモコン装置１内の半導体記録媒体６と情報提供者とで相互認証を行えるのは上記同様である。
（実施の形態４）
図６に示すリモコン装置１は、図１および図２に示したリモコン装置１と同様の構成を有しているが、インターネットなどの情報網１６へアクセス可能な情報網アクセス部１８を有している点が図１，図２のものと異なっている。
【００４３】
これにより、図７に示すように、リモコン装置１の情報網アクセス部１８によって情報網１６の情報提供者にアクセスして、直接に情報を取得することができる。よって、別途の情報網アクセス端末がなくても、また場所を選ばずに情報を取得することが可能であり、より利便性が向上する。
【００４４】
リモコン装置１内の半導体記録媒体６と情報提供者とで相互認証を行えるのは上記と同様である。
（実施の形態５）
図８に示すリモコン装置１は、図１および図２に示したリモコン装置１と同様の構成を有し、かつ、他の同等の機能を有するリモコン装置１Ａなどに対する相互情報伝達機能と相互認証機能とを有している。
【００４５】
つまりリモコン装置１，１Ａは、それぞれに装着されている半導体記録媒体６，６Ａの認証部（図２の符号６ａ参照）の情報を用いて認証部（図２の符号８参照）で相互認証し、情報伝達し得るように構成されている。
【００４６】
これにより、リモコン装置１，１Ａどうしで情報を送受信して共有することが可能になる。送受信される情報は、ホスト機器の操作情報や設定情報、リモコン装置１，１Ａそれぞれの設定情報などである。
【００４７】
なお、上記した各実施の形態に記載したホスト機器（またはそれ専用のリモコン装置）とリモコン装置１との間、情報網アクセス端末１０とリモコン装置１との間、リモコン装置１Ａとリモコン装置１との間の情報伝達は、上記した方式に限定されず、赤外線、電波などを使用する非接触型、接続ケーブルなどを使用する接触型のいずれの方式を採用してもよい。
【００４８】
【発明の効果】
以上のように本発明のリモコン装置は、情報書き込み手段を有したことにより、使用者独自の設定情報などを半導体記録媒体に記録し、記録した設定情報に基いてホスト機器を遠隔操作することができる。
【００４９】
半導体記録媒体の認証部との間で相互認証を行う認証部を有したことにより、半導体記録媒体の装着時にリモコン装置と半導体記録媒体との間で相互認証できる。
【００５０】
半導体記録媒体を装着可能で、かつ、インターネット等の情報網へアクセス可能なアクセス端末を別体として有したことにより、ホスト機器の操作情報を、その情報が予め納められた半導体記録媒体を購入せずとも、随時使用者がインターネットなどの情報網からアクセス端末に取得し、アクセス端末に装着した半導体記録媒体に納めることができる。よって、ホスト機器の購入時に取得できる基本的な操作情報のみならず、機能アップ情報や、ホスト機器の不具合修正情報などの最新の情報をタイムリーに取得することができる。
インターネット等の情報網へアクセス可能なアクセス端末を別体として有し、このアクセス端末との間で情報を送受信可能な送受信部を本体に有したことにより、アクセス端末で情報を取得してリモコン装置に送り、リモコン装置に装着された半導体記録媒体へ直接に納めることができ、アクセス端末とリモコン装置とに半導体記録記録媒体を挿抜する必要がない。
【００５１】
インターネット等の情報網へアクセス可能なアクセス部を有したことにより、情報網からリモコン装置に直接に情報を取得して半導体記録媒体へ納めることができ、場所を選ばず情報取得が可能であるため利便性が高い。
【００５２】
インターネット等の情報網を通じてアクセスしたアクセス先と認証部を通じて相互認証可能に構成されたことにより、半導体記録媒体とアクセス先とで相互認証された場合のみ情報取得が可能になり、アクセス先である情報提供者は特定の使用者に限定して情報を提供することができる。
【００５３】
他のリモコン装置と互いの認証部を通じて相互認証可能に構成されたことにより、特定のリモコン装置どうしの間での情報共有が可能になる。
【図面の簡単な説明】
【図１】本発明の実施の形態１におけるリモコン装置の外観を示す斜視図
【図２】図１のリモコン装置およびそれに装着される半導体記録媒体の構成を示すブロック図
【図３】本発明の実施の形態２におけるリモコン装置であって、インターネット等の情報網へアクセス可能な情報網アクセス端末を別体に有したリモコン装置の外観を示す斜視図
【図４】図３のリモコン装置の情報伝達経路を示す概念図
【図５】本発明の実施の形態３におけるリモコン装置であって、インターネット等の情報網へアクセス可能な情報網アクセス端末を別体に有したリモコン装置の情報伝達経路を示す概念図
【図６】本発明の実施の形態４におけるリモコン装置であって、インターネット等の情報網へアクセス可能な情報網アクセス部を有したリモコン装置の構成を示すブロック図
【図７】図６のリモコン装置の情報伝達経路を示す概念図
【図８】本発明の実施の形態５におけるリモコン装置であって、他の同等の機能を有するリモコン装置へアクセスする状態を示す概念図
【符号の説明】
１　　リモコン装置
２　　表示部
３　　操作部
４　　送受信部
５　　スロット
６　　半導体記録媒体
６ａ　認証部
６ｂ　情報記録部
７　　情報読み取り書き込み部
８　　認証部
９　　制御部
１０　情報網アクセス端末
１３　スロット
１６　情報網
１７　信号送受信部
１８　情報網アクセス部
１Ａ　リモコン装置
６Ａ　半導体記録媒体
【図１】
2004128757.tif 000003
【図２】
2004128757.tif 000004
【図３】
2004128757.tif 000005
【図４】
2004128757.tif 000006
【図５】
2004128757.tif 000007
【図６】
2004128757.tif 000008
【図７】
2004128757.tif 000009
【図８】
2004128757.tif 000010